(57)【要約】【課題】貨幣処理装置において比較的に新しい貨幣を出金に用いる。【解決手段】貨幣処理装置は、貨幣のうち出金に用いられる貨幣を収納する複数の収納部と；複数の収納部に収納すべき貨幣についての新旧の程度を示す新旧レベルを判断する新旧判断部と；新旧レベルが判断された貨幣を収納すべき収納先を、複数の収納部の中から新旧レベルに基づいて選定する選定部とを備える。【選択図】図１
2014191557.tif 000002
【特許請求の範囲】
【請求項１】
貨幣を処理する貨幣処理装置であって、
前記貨幣のうち出金に用いられる貨幣を収納する複数の収納部と、
前記複数の収納部に収納すべき貨幣についての新旧の程度を示す新旧レベルを判断する新旧判断部と、
前記新旧レベルが判断された前記貨幣を収納すべき収納先を、前記複数の収納部の中から前記新旧レベルに基づいて選定する選定部と
を備える貨幣処理装置。
【請求項２】
請求項１に記載の貨幣処理装置であって、
前記複数の収納部は、第１および第２の収納部であって、前記第１の収納部に収納される貨幣は、前記第２の収納部に収納される貨幣よりも優先的に出金に用いられる、第１および第２の収納部を含み、
前記選定部は、前記新旧レベルが基準値よりも新しい貨幣を収納すべき収納先として、前記第２の収納部よりも優先的に前記第１の収納部を選定する、貨幣処理装置。
【請求項３】
請求項２に記載の貨幣処理装置であって、
前記第１の収納部は、前記貨幣のうち出金に用いられる貨幣を金種別に収納する複数の金種別収納部を含み、
前記第２の収納部は、前記貨幣のうち出金に用いられる複数の金種の貨幣を一括して収納する一括収納部を含む、貨幣処理装置。
【請求項４】
前記新旧判断部は、前記貨幣に記された発行年および記番号の少なくとも１つに基づいて前記新旧レベルを判断する、請求項１から請求項３までのいずれか一項に記載の貨幣処理装置。
【請求項５】
前記貨幣は、硬貨および紙幣の少なくとも一方を含む、請求項１から請求項４までのいずれか一項に記載の貨幣処理装置。
【請求項６】
請求項１から請求項５までのいずれか一項に記載の貨幣処理装置であって、
前記複数の収納部に収納されている貨幣についての前記新旧レベルに応じた枚数を前記収納部毎に示す情報である枚数情報を生成する情報生成部を、さらに備え、
前記選定部は、前記複数の収納部の中から前記収納先を選定する基準を、前記枚数情報に基づいて設定する基準設定部を含む、貨幣処理装置。
【請求項７】
前記選定部は、前記複数の収納部の中から前記収納先を選定する基準を、管理者から入力される情報に基づいて設定する基準入力部を含む、請求項１から請求項６までのいずれか一項に記載の貨幣処理装置。
【請求項８】
請求項７に記載の貨幣処理装置であって、さらに、
前記複数の収納部に収納されている貨幣についての前記新旧レベルに応じた枚数を前記収納部毎に示す情報である枚数情報を生成する情報生成部と、
前記枚数情報を表示する表示部と
を備える貨幣処理装置。
【請求項９】
貨幣を処理する貨幣処理方法であって、
前記貨幣のうち出金に用いられる貨幣を収納する複数の収納部に収納すべき貨幣についての新旧の程度を示す新旧レベルを判断し、
前記新旧レベルが判断された前記貨幣を収納すべき収納先を、前記複数の収納部の中から前記新旧レベルに基づいて選定する、貨幣処理方法。
【請求項１０】
貨幣を処理する機能をコンピュータに実現させるためのコンピュータプログラムであって、
前記貨幣のうち出金に用いられる貨幣を収納する複数の収納部に収納すべき貨幣についての新旧の程度を示す新旧レベルを判断する機能と、
前記新旧レベルが判断された前記貨幣を収納すべき収納先を、前記複数の収納部の中から前記新旧レベルに基づいて選定する機能と
を実現するためのコンピュータプログラム。
【発明の詳細な説明】
【技術分野】
【０００１】
本発明は、貨幣処理装置、貨幣処理方法およびコンピュータプログラムに関する。
【背景技術】
【０００２】
貨幣処理装置としては、現金自動取引装置（Automated Teller Machine、ＡＴＭ）および現金自動支払機（Cash Dispenser、ＣＤ）などの現金取扱装置が知られている。貨幣処理装置は、入金および出金に用いられる貨幣（硬貨、紙幣など）を処理する。
【０００３】
特許文献１には、紙幣の記番号に基づいて紙幣の発行年を判断し、発行年の古い紙幣を、出金に適さない紙幣として回収する技術が記載されている。特許文献２には、紙幣の記番号に基づいて紙幣の老朽化を判断し、老朽化した紙幣を、出金に適さない紙幣として回収する技術が記載されている。
【先行技術文献】
【特許文献】
【０００４】
【特許文献１】特開昭５９−２１８５８４号公報
【特許文献２】特開平４−３８５９０号公報
【発明の概要】
【発明が解決しようとする課題】
【０００５】
特許文献１，２では、回収せずに出金に用いられる貨幣の全てを、その新旧に関係なく一律に取り扱うため、比較的に古い貨幣の経年劣化に起因する不具合（例えば、貨幣の識別不良、搬送経路における貨幣の詰まり）が発生する場合があるという課題があった。また、現金取扱装置から出金される貨幣を受け取る利用者の立場からは、比較的にきれいな貨幣を受け取りたいとの要望があった。
【０００６】
そのため、貨幣処理装置において比較的に新しい貨幣を出金に用いることが可能な技術が望まれていた。そのほか、貨幣処理装置においては、その小型化や、低コスト化、省資源化、製造の容易化、使い勝手の向上、耐久性の向上などが望まれていた。
【課題を解決するための手段】
【０００７】
本発明は、上述の課題の少なくとも一部を解決するためになされたものであり、以下の形態として実現することが可能である。
【０００８】
（１）本発明の一形態によれば、貨幣を処理する貨幣処理装置が提供される。この貨幣処理装置は、前記貨幣のうち出金に用いられる貨幣を収納する複数の収納部と；前記複数の収納部に収納すべき貨幣についての新旧の程度を示す新旧レベルを判断する新旧判断部と；前記新旧レベルが判断された前記貨幣を収納すべき収納先を、前記複数の収納部の中から前記新旧レベルに基づいて選定する選定部とを備える。この形態によれば、比較的に新しい貨幣と、比較的に古い貨幣とを別々の収納部に収納することができる。そのため、比較的に新しい貨幣が収納されている収納部から貨幣を取り出すことによって、比較的に新しい貨幣を出金に用いることができる。その結果、比較的に古い貨幣の経年劣化に起因する不具合を抑制することができる。また、比較的にきれいな貨幣を受け取りたいとの利用者の要望に応えることができる。
【０００９】
（２）上記形態の貨幣処理装置において、前記複数の収納部は、第１および第２の収納部であって、前記第１の収納部に収納される貨幣は、前記第２の収納部に収納される貨幣よりも優先的に出金に用いられる、第１および第２の収納部を含み、前記選定部は、前記新旧レベルが基準値よりも新しい貨幣を収納すべき収納先として、前記第２の収納部よりも優先的に前記第１の収納部を選定してもよい。この形態によれば、比較的に新しい貨幣から優先的に出金に用いることができる。
【００１０】
（３）上記形態の貨幣処理装置において、前記第１の収納部は、前記貨幣のうち出金に用いられる貨幣を金種別に収納する複数の金種別収納部を含み、前記第２の収納部は、前記貨幣のうち出金に用いられる複数の金種の貨幣を一括して収納する一括収納部を含んでもよい。この形態によれば、金種別収納部と一括収納部とを備える構成において、比較的に新しい貨幣から優先的に出金に用いることができる。
【００１１】
（４）上記形態の貨幣処理装置において、前記新旧判断部は、前記貨幣に記された発行年および記番号の少なくとも１つに基づいて前記新旧レベルを判断してもよい。この形態によれば、貨幣の新旧レベルを容易に判断できる。
【００１２】
（５）上記形態の貨幣処理装置において、前記貨幣は、硬貨および紙幣の少なくとも一方を含んでもよい。この形態によれば、硬貨および紙幣の少なくとも一方について、比較的に新しい貨幣を出金に用いることができる。
【００１３】
（６）上記形態の貨幣処理装置において、前記複数の収納部に収納されている貨幣についての前記新旧レベルに応じた枚数を前記収納部毎に示す情報である枚数情報を生成する情報生成部を、さらに備え、前記選定部は、前記複数の収納部の中から前記収納先を選定する基準を、前記枚数情報に基づいて設定する基準設定部を含んでもよい。この形態によれば、複数の収納部に収納されている貨幣の新旧レベルに応じた分布を、枚数情報に基づいて調整できる。
【００１４】
（７）上記形態の貨幣処理装置において、前記複数の収納部の中から前記収納先を選定する基準を、管理者から入力される情報に基づいて設定する基準入力部を含んでもよい。この形態によれば、複数の収納部に収納されている貨幣の新旧レベルに応じた分布を、管理者からの情報に基づいて調整できる。
【００１５】
（８）上記形態の貨幣処理装置において、さらに、前記複数の収納部に収納されている貨幣についての前記新旧レベルに応じた枚数を前記収納部毎に示す情報である枚数情報を生成する情報生成部と；前記枚数情報を表示する表示部とを備えてもよい。この形態によれば、収納先を選定する基準を設定する管理者の利便性を向上させることができる。
【００１６】
本発明は、貨幣処理装置以外の種々の形態で実現することも可能である。例えば、本願発明は、貨幣処理方法の他、貨幣処理装置を制御するためのコンピュータプログラム、そのコンピュータプログラムを記録した一時的でない記録媒体などの形態で実現することができる。
【図面の簡単な説明】
【００１７】
【図１】貨幣処理装置の構成を示す説明図である。
【図２】貨幣処理装置における制御部および感知部の詳細構成を示す説明図である。
【図３】貨幣処理装置の制御部が実行する入金取引処理を示すフローチャートである。
【図４】画像センサから出力される画像データの一例を示す説明図である。
【図５】選定処理の詳細を示すフローチャートである。
【図６】枚数情報に基づく枚数ヒストグラムの一例を示すグラフである。
【図７】枚数情報に基づく複数の金種別収納部全体の枚数ヒストグラムの一例を示す表である。
【図８】枚数情報に基づく一括収納部の枚数ヒストグラムの一例を示す表である。
【図９】第１変形例における貨幣処理装置の詳細構成を示す説明図である。
【図１０】第２実施形態における貨幣処理装置の構成を示す説明図である。
【図１１】貨幣処理装置における制御部および感知部の詳細構成を示す説明図である。
【図１２】貨幣処理装置の制御部が実行する入金取引処理を示すフローチャートである。
【図１３】画像センサから出力される画像データの一例を示す説明図である。
【図１４】選定処理の詳細を示すフローチャートである。
【図１５】枚数情報に基づく枚数ヒストグラムの一例を示すグラフである。
【発明を実施するための形態】
【００１８】
Ａ．第１実施形態
Ａ−１．貨幣処理装置の構成
図１は、貨幣処理装置１０の構成を示す説明図である。貨幣処理装置１０は、硬貨を処理する現金取扱装置である。貨幣処理装置１０は、制御部１００と、表示部１９０と、入出金部２２０と、搬送機構２４０と、感知部２８０と、複数の金種別保留部３１０＿１〜３１０＿ｎと、複数の金種別収納部３３０＿１〜３３０＿ｎと、一括保留部３５０と、一括収納部３７０と、回収部３８０と、運用カートリッジ３９０とを備える。
【００１９】
貨幣処理装置１０の制御部１００は、貨幣処理装置１０の各部を制御する。制御部１００は、新旧判断部１２０と、選定部１４０とを備える。
【００２０】
制御部１００の新旧判断部１２０は、感知部２８０からの情報に基づいて、複数の収納部（金種別収納部３３０＿１〜３３０＿ｎおよび一括収納部３７０）に収納すべき硬貨についての新旧の程度を示す新旧レベルを判断する。本実施形態では、新旧判断部１２０は、硬貨に記された発行年に基づいて新旧レベルを判断する。
【００２１】
制御部１００の選定部１４０は、新旧レベルが判断された硬貨を収納すべき収納先を、複数の収納部（金種別収納部３３０＿１〜３３０＿ｎおよび一括収納部３７０）の中から新旧レベルに基づいて選定する。本実施形態では、選定部１４０は、新旧レベルが基準値よりも新しい硬貨を収納すべき収納先として、一括収納部３７０よりも優先的に金種別収納部３３０＿１〜３３０＿ｎを選定する。
【００２２】
本実施形態では、制御部１００の機能は、コンピュータプログラムに基づいてＣＰＵ（Central Processing Unit）が動作することによってソフトウェア的に実現される。他の実施形態では、制御部１００の機能は、制御部１００が備える回路構成に基づいてハードウェア的に実現されてもよい。
【００２３】
貨幣処理装置１０の表示部１９０は、制御部１００からの指示に基づいて情報を表示する。本実施形態では、表示部１９０は、表示装置に位置入力装置を組み合わせたタッチパネル（Touch Panel）であり、貨幣処理装置１０を操作する操作者である利用者および管理者からの入力を受け付け可能に構成されている。
【００２４】
貨幣処理装置１０の入出金部２２０は、入金される硬貨を貨幣処理装置１０の外部から受け取るとともに、出金される硬貨を貨幣処理装置１０の外部に対して提供する。本実施形態では、貨幣処理装置１０は、入金時に受け取った硬貨のうち貨幣処理装置１０で受け入れできない硬貨を、入出金部２２０を通じて返却する。
【００２５】
貨幣処理装置１０の搬送機構２４０は、貨幣処理装置１０の内部で硬貨を搬送する。本実施形態では、搬送機構２４０は、入出金部２２０と、感知部２８０と、複数の金種別保留部３１０＿１〜３１０＿ｎと、複数の金種別収納部３３０＿１〜３３０＿ｎと、一括保留部３５０と、一括収納部３７０と、回収部３８０と、運用カートリッジ３９０との間を接続し、各部の間における硬貨の移動を実現する。
【００２６】
貨幣処理装置１０の感知部２８０は、硬貨の特徴を感知する。感知部２８０によって感知された硬貨の特徴は、金種の判断と、新旧レベルの判断と、真偽の判断との各判断に利用される。本実施形態では、感知部２８０によって感知される硬貨は、入出金部２２０から入金される硬貨、一括収納部３７０から金種別収納部３３０＿１〜３３０＿ｎへと収納される硬貨、運用カートリッジ３９０から金種別収納部３３０＿１〜３３０＿ｎへと収納される硬貨である。
【００２７】
貨幣処理装置１０における複数の金種別保留部３１０＿１〜３１０＿ｎは、金種別収納部３３０＿１〜３３０＿ｎに収納すべき硬貨を一時的に保留するｎ個の収納部である。本実施形態では、複数の金種別保留部３１０＿１〜３１０＿ｎは、６種類の金種（１円硬貨、５円硬貨、１０円硬貨、５０円硬貨、１００円硬貨、５００円硬貨）にそれぞれ対応する６個の収納部である（ｎ＝６）。本実施形態の説明では、金種別保留部を総称する場合には符号「３１０」を用い、複数の金種別保留部を個別に示す場合には「３１０」の後に個別の番号を付した符号を用いる。
【００２８】
貨幣処理装置１０における複数の金種別収納部３３０＿１〜３３０＿ｎは、出金に用いられる硬貨を金種別に収納するｎ個の収納部である。本実施形態では、複数の金種別収納部３３０＿１〜３３０＿ｎは、６種類の金種（１円硬貨、５円硬貨、１０円硬貨、５０円硬貨、１００円硬貨、５００円硬貨）にそれぞれ対応する６個の収納部である（ｎ＝６）。本実施形態の説明では、金種別収納部を総称する場合には符号「３３０」を用い、複数の金種別収納部を個別に示す場合には「３３０」の後に個別の番号を付した符号を用いる。
【００２９】
金種別収納部３３０に収納すべき硬貨は、入金取引が成立するまで金種別保留部３１０に一時的に収納され、入金取引が成立した後に金種別保留部３１０から金種別収納部３３０に収納される。入出金部２２０から出金される硬貨は、金種別保留部３１０から搬送機構２４０を通じて入出金部２２０に搬送される。
【００３０】
貨幣処理装置１０の一括保留部３５０は、一括収納部３７０に収納すべき硬貨を一時的に保留する収納部である。一括保留部３５０には、複数の金種の硬貨が一括して収納される。
【００３１】
貨幣処理装置１０の一括収納部３７０は、出金に用いられる複数の金種の硬貨を一括して収納する収納部である。一括収納部３７０には、複数の金種の硬貨が混在している。
【００３２】
一括収納部３７０に収納すべき硬貨は、入金取引が成立するまで一括保留部３５０に一時的に収納され、入金取引が成立した後に一括保留部３５０から一括収納部３７０に収納される。金種別収納部３３０に収納されている硬貨が不足する場合、一括収納部３７０に収納されている硬貨は、搬送機構２４０を通じて感知部２８０を経由して金種別収納部３３０に収納される。したがって、金種別収納部３３０に収納される硬貨は、一括収納部３７０に収納される硬貨よりも優先的に出金に用いられる。
【００３３】
貨幣処理装置１０の回収部３８０は、出金に適さないと判断された硬貨を回収する収納部である。本実施形態では、回収部３８０は、新旧レベルが基準値よりも古いと判断された硬貨と、出金時に搬送機構２４０で不具合を発生させた硬貨とを回収する。
【００３４】
貨幣処理装置１０の運用カートリッジ３９０は、硬貨を収納する収納部であり、貨幣処理装置１０に対して着脱可能に構成されている。運用カートリッジ３９０は、貨幣処理装置１０に対する硬貨の補充と、貨幣処理装置１０からの硬貨の回収とに利用される。
【００３５】
図２は、貨幣処理装置１０における制御部１００および感知部２８０の詳細構成を示す説明図である。本実施形態では、制御部１００は、新旧判断部１２０および選定部１４０の他、金種判断部１１０と、真偽判断部１３０と、情報生成部１５０と、記憶部１７０と、表示制御部１８０とを備える。本実施形態では、感知部２８０は、画像センサ２８２と、光センサ２８４と、磁気センサ２８６とを備える。
【００３６】
感知部２８０の画像センサ２８２は、感知部２８０を通過する硬貨を撮像する。本実施形態では、画像センサ２８２は、ＣＣＤイメージセンサ（Charge-Coupled Device image sensor）である。他の実施形態では、画像センサ２８２は、ＣＭＯＳイメージセンサ（Complementary Metal Oxide Semiconductor image sensor）であってもよい。
【００３７】
感知部２８０の光センサ２８４は、感知部２８０を通過する硬貨の形状を感知する。感知部２８０の磁気センサ２８６は、感知部２８０を通過する硬貨の磁気特性を感知する。他の実施形態では、感知部２８０は、光センサ２８４と磁気センサ２８６との少なくとも１つを備えなくてもよく、他のセンサを備えてもよい。
【００３８】
制御部１００の金種判断部１１０は、感知部２８０からの情報に基づいて、感知部２８０を通過する硬貨の金種を判断する。本実施形態では、金種判断部１１０は、画像センサ２８２、光センサ２８４および磁気センサ２８６からの各出力データに基づいて、感知部２８０を通過する硬貨の金種を判断する。本実施形態では、金種判断部１１０は、１円硬貨と、５円硬貨と、１０円硬貨と、５０円硬貨と、１００円硬貨と、５００円硬貨とを判断可能である。
【００３９】
制御部１００の新旧判断部１２０は、画像センサ２８２から出力される画像データを解析することによって、感知部２８０を通過する硬貨の新旧レベルを判断する。本実施形態では、新旧判断部１２０は、硬貨に記された発行年を画像データから読み取り、その発行年を新旧レベルとして判断する。他の実施形態では、新旧判断部１２０は、硬貨の損傷を画像データから読み取り、その損傷の度合いを新旧レベルとして判断してもよい。
【００４０】
制御部１００の真偽判断部１３０は、感知部２８０からの情報に基づいて、感知部２８０を通過する硬貨が本物であるか偽物であるかを判断する。本実施形態では、真偽判断部１３０は、画像センサ２８２、光センサ２８４および磁気センサ２８６からの各出力データに基づいて、感知部２８０を通過する硬貨の真偽を判断する。
【００４１】
制御部１００の情報生成部１５０は、選定部１４０による収納先の選定に応じて枚数情報４１０を生成する。枚数情報４１０は、金種別収納部３３０および一括収納部３７０に収納されている硬貨についての新旧レベルに応じた枚数を収納部毎に示す情報である。制御部１００の記憶部１７０は、情報生成部１５０によって生成される枚数情報４１０を記憶する。制御部１００の表示制御部１８０は、記憶部１７０に記憶されている枚数情報４１０を表示部１９０に表示させる。
【００４２】
制御部１００の選定部１４０は、基準設定部１４２を備える。基準設定部１４２は、感知部２８０を通過した硬貨の収納先を選定する基準を、記憶部１７０に記憶されている枚数情報４１０に基づいて設定する。
【００４３】
Ａ−２．貨幣処理装置の動作
図３は、貨幣処理装置１０の制御部１００が実行する入金取引処理を示すフローチャートである。図３の入金取引処理は、利用者から入金取引を受け付ける処理である。本実施形態では、制御部１００は、入金取引を開始する旨の利用者からの指示入力に基づいて、図３の入金取引処理を実行する。本実施形態では、金種別収納部３３０＿１〜３３０＿ｎの少なくとも１つと、一括収納部３７０とが満杯である場合、制御部１００は、図３の入金取引処理を実行しない。本実施形態では、回収部３８０が満杯である場合にも、制御部１００は、図３の入金取引処理を実行しない。
【００４４】
図３の入金取引処理を開始した後、制御部１００は、各部の初期化を行う（ステップＳ１１０）。本実施形態では、初期化（ステップＳ１１０）において、制御部１００は、入出金部２２０、搬送機構２４０および感知部２８０の各部に、入金を受け付ける準備を指示する。
【００４５】
初期化（ステップＳ１１０）を行った後、制御部１００は、入出金部２２０、搬送機構２４０および感知部２８０の各部を制御することによって、入出金部２２０に投入された硬貨を１枚ずつ感知部２８０に搬送する（ステップＳ１２２）。感知部２８０は、入出金部２２０から搬送される硬貨の特徴を感知し、その硬貨の特徴を示す情報を制御部１００に出力する。
【００４６】
入出金部２２０から感知部２８０に硬貨を搬送した後（ステップＳ１２２）、制御部１００は、金種判断部１１０を機能させることによって、感知部２８０を通過する硬貨の金種を判断する（ステップＳ１２４）。
【００４７】
硬貨の金種を判断した後（ステップＳ１２４）、制御部１００は、新旧判断部１２０を機能させることによって新旧判断処理（ステップＳ１２６）を行う。新旧判断処理（ステップＳ１２６）では、制御部１００は、画像センサ２８２から出力される画像データを解析することによって、感知部２８０を通過する硬貨の新旧レベルを判断する。本実施形態では、制御部１００は、硬貨に記された発行年を画像データから読み取り、その発行年を新旧レベルとして判断する。
【００４８】
図４は、画像センサ２８２から出力される画像データ５６０の一例を示す説明図である。本実施形態では、制御部１００は、硬貨に発行年が刻印されている領域５６２を金種毎に示す情報を予め記憶しており、その情報に基づいて画像データ５６０から発行年を読み取る。図４の例では、画像データ５６０は、５００円硬貨を撮像した画像データである。図４の例では、制御部１００は、画像データ５６０における領域５６２から発行年である「平成十四年」を読み取り、平成１４年（西暦２００２年）を新旧レベルとして判断する。
【００４９】
図３の説明に戻り、新旧判断処理（ステップＳ１２６）を行った後、制御部１００は、真偽判断部１３０を機能させることによって、感知部２８０を通過する硬貨の真偽を判断する（ステップＳ１２８）。
【００５０】
硬貨の真偽を判断した後（ステップＳ１２８）、制御部１００は、感知部２８０を通過する硬貨を受け入れ可能であるか否かを判断する（ステップＳ１３２）。本実施形態では、制御部１００は、本物であると判断された硬貨を、受け入れ可能な硬貨として判断し、偽物であると判断された硬貨とを、受け入れできない硬貨として判断する。本実施形態では、制御部１００は、本物であると判断された硬貨のうち、搬送機構２４０における搬送状体が不良である硬貨と、感知部２８０において感知された形状が不良である硬貨とを、受け入れできない硬貨として判断する。
【００５１】
受け入れできない硬貨である場合（ステップＳ１３２：「ＮＯ」）、制御部１００は、入出金部２２０および搬送機構２４０を制御することによって、受け入れできない硬貨を、入出金部２２０を通じて返却する。
【００５２】
受け入れ可能な硬貨である場合（ステップＳ１３２：「ＹＥＳ」）、制御部１００は、選定部１４０を機能させることによって、選定処理（ステップＳ１４０）を行う。選定処理（ステップＳ１４０）では、制御部１００は、受け入れ可能な硬貨を収納すべき収納先を、金種別収納部３３０と一括収納部３７０と回収部３８０との中から新旧レベルに基づいて選定する。選定処理（ステップＳ１４０）の詳細については後述する。
【００５３】
選定処理（ステップＳ１４０）を行った後、制御部１００は、搬送機構２４０を制御することによって、選定処理（ステップＳ１４０）で選定された収納先へ硬貨を搬送する（ステップＳ１７２）。本実施形態では、制御部１００は、搬送機構２４０を制御することによって、収納先が金種別収納部３３０である硬貨を金種別保留部３１０に保留し、収納先が一括収納部３７０である硬貨を一括保留部３５０に保留する。
【００５４】
硬貨を収納先へ搬送した後（ステップＳ１７２）、制御部１００は、情報生成部１５０を機能させることによって、情報生成処理（ステップＳ１７４）を行う。情報生成処理（ステップＳ１７４）では、制御部１００は、選定処理（ステップＳ１４０）の結果を反映させた枚数情報４１０を生成し、その枚数情報４１０を記憶部１７０に上書きする。これによって、枚数情報４１０が更新される。
【００５５】
枚数情報４１０を更新した後（ステップＳ１７４）、または、受け入れできない硬貨を返却した後（ステップＳ１３８）、制御部１００は、入出金部２２０からの硬貨の繰り出しが完了したか否かを判断する（ステップＳ１７６）。入出金部２２０に硬貨が残っており、入出金部２２０からの硬貨の繰り出しが完了していない場合（ステップＳ１７６：「ＮＯ」）、制御部１００は、入出金部２２０から感知部２８０へ硬貨を搬送する処理（ステップＳ１２２）からの各処理を繰り返し実行する。
【００５６】
入出金部２２０からの硬貨の繰り出しが完了した場合（ステップＳ１７６：「ＹＥＳ」）、制御部１００は、入金取引の確定を待って収納処理（ステップＳ１８０）を行う。収納処理（ステップＳ１８０）では、制御部１００は、金種別保留部３１０に保留されている硬貨を金種別収納部３３０に収納し、一括保留部３５０に保留されている硬貨を一括収納部３７０に収納する。収納処理（ステップＳ１８０）を行った後、制御部１００は、図３の入金取引処理を終了する。
【００５７】
図５は、選定処理（ステップＳ１４０）の詳細を示すフローチャートである。選定処理（ステップＳ１４０）では、制御部１００は、新旧判断処理（ステップＳ１２６）で判断した発行年（新旧レベル）が閾値Ｔａ１よりも大きい発行年であるか否か、すなわち、発行年（新旧レベル）が閾値Ｔａ１よりも新しいか否かを判断する（ステップＳ１４２）。本実施形態では、閾値Ｔａ１は、制御部１００に予め設定されており、制御部１００は、年数の経過に応じて閾値Ｔａ１を更新する。他の実施形態では、制御部１００は、管理者から貨幣処理装置１０に入力される情報に基づいて閾値Ｔａ１を設定してもよい。他の実施形態では、閾値Ｔａ１は、固定値であってもよい。
【００５８】
新旧判断処理（ステップＳ１２６）で判断した発行年が閾値Ｔａ１以下の発行年である場合、すなわち、発行年が閾値Ｔａ１と同じまたは閾値Ｔａ１よりも古い場合（ステップＳ１４２：「ＮＯ」）、制御部１００は、感知部２８０を通過する硬貨の収納先として回収部３８０を選定する（ステップＳ１６６）。その後、制御部１００は、選定処理（ステップＳ１４０）を終了する。
【００５９】
新旧判断処理（ステップＳ１２６）で判断した発行年が閾値Ｔａ１よりも大きい発行年である場合、すなわち、発行年が閾値Ｔａ１よりも新しい場合（ステップＳ１４２：「ＹＥＳ」）、制御部１００は、感知部２８０を通過する硬貨の金種に対応する金種別収納部３３０が満杯であるか否かを判断する（ステップＳ１４４）。
【００６０】
金種別収納部３３０が満杯でない場合（ステップＳ１４４：「ＮＯ」）、制御部１００は、感知部２８０を通過する硬貨の金種に対応する金種別保留部３１０が満杯であるか否かを判断する（ステップＳ１４５）。
【００６１】
金種別収納部３３０または金種別保留部３１０が満杯である場合（ステップＳ１４４，Ｓ１４５：「ＹＥＳ」）、制御部１００は、感知部２８０を通過する硬貨の収納先として一括収納部３７０を選定する（ステップＳ１６４）。その後、制御部１００は、選定処理（ステップＳ１４０）を終了する。
【００６２】
金種別収納部３３０および金種別保留部３１０が満杯でない場合（ステップＳ１４５：「ＮＯ」）、制御部１００は、一括収納部３７０が満杯であるか否かを判断する（ステップＳ１４６）。
【００６３】
一括収納部３７０が満杯でない場合（ステップＳ１４６：「ＮＯ」）、制御部１００は、一括保留部３５０が満杯であるか否かを判断する（ステップＳ１４７）。
【００６４】
一括保留部３５０または一括収納部３７０が満杯である場合（ステップＳ１４６，Ｓ１４７：「ＹＥＳ」）、制御部１００は、感知部２８０を通過する硬貨の収納先として、その硬貨の金種に対応する金種別収納部３３０を選定する（ステップＳ１６２）。その後、制御部１００は、選定処理（ステップＳ１４０）を終了する。
【００６５】
一括保留部３５０および一括収納部３７０が満杯でない場合（ステップＳ１４７：「ＮＯ」）、制御部１００は、感知部２８０を通過する硬貨の金種に対応する金種別収納部３３０に収納されている硬貨の枚数である金種別収納枚数が、閾値Ｔｎ１よりも小さいか否か、すなわち、金種別収納枚数が閾値Ｔｎ１よりも少ないか否かを判断する（ステップＳ１４８）。本実施形態では、閾値Ｔｎ１は、制御部１００に予め設定された固定値である。他の実施形態では、制御部１００は、管理者から貨幣処理装置１０に入力される情報に基づいて閾値Ｔｎ１を設定してもよい。
【００６６】
金種別収納枚数が閾値Ｔｎ１よりも少ない場合（ステップＳ１４８：「ＹＥＳ」）、制御部１００は、感知部２８０を通過する硬貨の収納先として、その硬貨の金種に対応する金種別収納部３３０を選定する（ステップＳ１６２）。これによって、金種別収納部３３０に収納されている硬貨が少ない場合、硬貨の新旧レベルにかかわらず、金種別収納部３３０に対する硬貨の補充が優先されるため、出金に利用される硬貨の不足を抑制することができる。収納先を選定した後（ステップＳ１６２）、制御部１００は、選定処理（ステップＳ１４０）を終了する。
【００６７】
金種別収納枚数が閾値Ｔｎ１と同じまたは閾値Ｔｎ１よりも多い場合（ステップＳ１４８：「ＹＥＳ」）、制御部１００は、基準設定部１４２を機能させることによって、基準設定処理（ステップＳ１５０）を行う。基準設定処理（ステップＳ１５０）では、制御部１００は、感知部２８０を通過した硬貨の収納先を選定する基準である閾値Ｔａ２を、記憶部１７０に記憶されている枚数情報４１０に基づいて設定する。他の実施形態では、閾値Ｔａ２は、制御部１００に予め設定された固定値であってもよい。
【００６８】
本実施形態では、基準設定処理（ステップＳ１５０）において、制御部１００は、金種別収納枚数が閾値Ｔｎ２よりも小さいか否か、すなわち、金種別収納数が閾値Ｔｎ２よりも少ないか否かを判断する（ステップＳ１５２）。閾値Ｔｎ２は、閾値Ｔｎ１よりも大きい値である。本実施形態では、閾値Ｔｎ２は、制御部１００に予め設定された固定値である。他の実施形態では、制御部１００は、管理者から貨幣処理装置１０に入力される情報に基づいて閾値Ｔｎ２を設定してもよい。
【００６９】
金種別収納数が閾値Ｔｎ２よりも少ない場合（ステップＳ１５２：「ＹＥＳ」）、制御部１００は、閾値Ｔａ２として値ｂを設定する。値ｂは、閾値Ｔａ１よりも大きい値である。本実施形態では、制御部１００は、枚数情報４１０を参照することによって、金種別収納部３３０における硬貨の枚数を新旧レベル順に並べた枚数ヒストグラムを作成し、枚数ヒストグラムの新しい側から数えて全体の９０％の枚数となる新旧レベル（発行年）を値ｂとして算出する。他の実施形態では、制御部１００は、一括収納部３７０の枚数ヒストグラムに基づいて値ｂを算出してもよい。他の実施形態では、値ｂは、制御部１００に予め設定された固定値であってもよい。
【００７０】
金種別収納数が閾値Ｔｎ２と同じまたは閾値Ｔｎ２よりも大きい場合（ステップＳ１５２：「ＮＯ」）、制御部１００は、閾値Ｔａ２として値ｃを設定する。値ｃは、閾値Ｔａ１および値ｂよりも大きい値である。本実施形態では、制御部１００は、枚数情報４１０を参照することによって、金種別収納部３３０における硬貨の枚数を新旧レベル順に並べた枚数ヒストグラムを作成し、枚数ヒストグラムの新しい側から数えて全体の７０％の枚数となる新旧レベル（発行年）を値ｃとして算出する。他の実施形態では、制御部１００は、一括収納部３７０の枚数ヒストグラムに基づいて値ｃを算出してもよい。他の実施形態では、値ｃは、制御部１００に予め設定された固定値であってもよい。
【００７１】
基準設定処理（ステップＳ１５０）を行った後、制御部１００は、新旧判断処理（ステップＳ１２６）で判断した発行年（新旧レベル）が閾値Ｔａ２よりも大きい発行年であるか否か、すなわち、発行年（新旧レベル）が閾値Ｔａ２よりも新しいか否かを判断する（ステップＳ１５６）。
【００７２】
新旧判断処理（ステップＳ１２６）で判断した発行年が閾値Ｔａ２よりも大きい発行年である場合、すなわち、発行年が閾値Ｔａ２よりも新しい場合（ステップＳ１５６：「ＹＥＳ」）、制御部１００は、感知部２８０を通過する硬貨の収納先として、その硬貨の金種に対応する金種別収納部３３０を選定する（ステップＳ１６２）。その後、制御部１００は、選定処理（ステップＳ１４０）を終了する。
【００７３】
新旧判断処理（ステップＳ１２６）で判断した発行年が閾値Ｔａ２以下の発行年である場合、すなわち、発行年が閾値Ｔａ２と同じまたは閾値Ｔａ２よりも古い場合（ステップＳ１５６：「ＮＯ」）、制御部１００は、感知部２８０を通過する硬貨の収納先として一括収納部３７０を選定する（ステップＳ１６４）。その後、制御部１００は、選定処理（ステップＳ１４０）を終了する。
【００７４】
図６は、枚数情報４１０に基づく枚数ヒストグラムの一例を示すグラフである。図６の横軸は、硬貨の新旧レベル（発行年）を示し、図６の縦軸は、硬貨の枚数を示す。枚数ヒストグラムＨａ１は、枚数情報４１０に基づく複数の金種別収納部３３０＿１〜３００＿ｎ全体の枚数ヒストグラムである。枚数ヒストグラムＨａ２は、枚数情報４１０に基づく金種別収納部３３０の枚数ヒストグラムである。
【００７５】
図７は、枚数情報４１０に基づく複数の金種別収納部３３０＿１〜３００＿ｎ全体の枚数ヒストグラムＨａ１の一例を示す表である。図８は、枚数情報４１０に基づく一括収納部３７０の枚数ヒストグラムＨａ２の一例を示す表である。
【００７６】
図６，図７および図８に示すように、比較的に新しい硬貨は、金種別収納部３３０に収納され、比較的に古い硬貨は、一括収納部３７０に収納される。本実施形態では、金種別収納枚数を閾値Ｔｎ１と比較する処理（ステップＳ１４８）と、基準設定処理（ステップＳ１５０）との影響によって、枚数ヒストグラムＨａ１と枚数ヒストグラムＨａ２との間で新旧レベルが重複する。
【００７７】
本実施形態では、制御部１００は、表示制御部１８０を機能させることによって、管理者からの指示入力に基づいて、図６の枚数ヒストグラムと、図７および図８の表とを、枚数情報４１０として表示部１９０に表示させる。
【００７８】
Ａ−３．効果
以上説明した第１実施形態によれば、比較的に新しい硬貨を金種別収納部３３０に収納し、比較的に古い硬貨を一括収納部３７０に収納することができる。したがって、比較的に新しい硬貨から優先的に出金に用いることができる。その結果、比較的に古い硬貨の経年劣化に起因する不具合を抑制することができる。また、比較的にきれいな硬貨を受け取りたいとの利用者の要望に応えることができる。
【００７９】
また、硬貨の収納先を選定する基準である閾値Ｔａ２を枚数情報４１０に基づいて設定するため（ステップＳ１５０）、金種別収納部３３０および一括収納部３７０に収納されている硬貨の新旧レベルに応じた分布を、枚数情報４１０に基づいて調整できる。
【００８０】
Ａ−４．変形例
Ａ−４．１．第１変形例
図９は、第１変形例における貨幣処理装置１１の詳細構成を示す説明図である。第１変形例の貨幣処理装置１１は、選定部１４０に基準入力部１４４を備える点を除き、第１実施形態の貨幣処理装置１０と同様である。第１変形例の基準入力部１４４は、収納先を選定する基準である閾値Ｔａ２を、貨幣処理装置１１の管理者から入力される情報に基づいて設定する。本実施形態では、基準入力部１４４は、タッチパネルである表示部１９０を通じて管理者から入力される情報に基づいて閾値Ｔａ２を設定する。本実施形態では、貨幣処理装置１１の管理者は、表示部１９０に表示される枚数情報４１０を確認しながら、閾値Ｔａ２を設定するための情報を入力可能である。
【００８１】
第１変形例によれば、第１実施形態と同様に、比較的に新しい硬貨を金種別収納部３３０に収納し、比較的に古い硬貨を一括収納部３７０に収納することができる。したがって、比較的に新しい硬貨から優先的に出金に用いることができる。また、金種別収納部３３０および一括収納部３７０に収納されている貨幣の新旧レベルに応じた分布を、管理者からの情報に基づいて調整できる。また、枚数情報４１０を表示部１９０に表示するため、閾値Ｔａ２を設定する管理者の利便性を向上させることができる。
【００８２】
Ａ−４．２．第２変形例
一括収納部３７０から金種別収納部３３０へと硬貨を収納し直す場合、制御部１００は、一括収納部３７０に収納されている硬貨を感知部２８０へと搬送し、選定処理（ステップＳ１４０）を行うことによって、収納先を選定してもよい。これによって、金種別収納部３３０に対する比較的に新しい硬貨の収納をいっそう推進することができる。
【００８３】
Ａ−４．３．第３変形例
運用カートリッジ３９０から金種別収納部３３０へと硬貨を収納する場合、制御部１００は、運用カートリッジ３９０に収納されている硬貨を感知部２８０へと搬送し、選定処理（ステップＳ１４０）を行うことによって、収納先を選定してもよい。これによって、金種別収納部３３０に対する比較的に新しい硬貨の収納をいっそう推進することができる。
【００８４】
Ｂ．第２実施形態
Ｂ−１．貨幣処理装置の構成
図１０は、第２実施形態における貨幣処理装置６０の構成を示す説明図である。貨幣処理装置６０は、紙幣を処理する現金取扱装置である。貨幣処理装置６０は、制御部６００と、表示部６９０と、入出金部７２０と、搬送機構７４０と、感知部７８０と、主収納部８３１と、副収納部８３２と、主収納部８４０と、一時保留部８５０と、回収部８８０と、運用カートリッジ８９０とを備える。
【００８５】
貨幣処理装置６０の制御部６００は、貨幣処理装置６０の各部を制御する。制御部６００は、新旧判断部６２０と、選定部６４０とを備える。
【００８６】
制御部６００の新旧判断部６２０は、感知部７８０からの情報に基づいて、複数の収納部（主収納部８３１および副収納部８３２）に収納すべき紙幣についての新旧の程度を示す新旧レベルを判断する。本実施形態では、新旧判断部６２０は、紙幣に記された記番号に基づいて新旧レベルを判断する。
【００８７】
制御部６００の選定部６４０は、新旧レベルが判断された紙幣を収納すべき収納先を、複数の収納部（主収納部８３１および副収納部８３２）の中から新旧レベルに基づいて選定する。本実施形態では、選定部６４０は、新旧レベルが基準値よりも新しい紙幣を収納すべき収納先として、副収納部８３２よりも優先的に主収納部８３１を選定する。
【００８８】
本実施形態では、制御部６００の機能は、コンピュータプログラムに基づいてＣＰＵが動作することによってソフトウェア的に実現される。他の実施形態では、制御部６００の機能は、制御部６００が備える回路構成に基づいてハードウェア的に実現されてもよい。貨幣処理装置６０の表示部６９０は、第１実施形態の表示部１９０と同様である。
【００８９】
貨幣処理装置６０の入出金部７２０は、入金される紙幣を貨幣処理装置６０の外部から受け取るとともに、出金される紙幣を貨幣処理装置６０の外部に対して提供する。本実施形態では、貨幣処理装置６０は、入金時に受け取った紙幣のうち貨幣処理装置６０で受け入れできない紙幣を、入出金部７２０を通じて返却する。
【００９０】
貨幣処理装置６０の搬送機構７４０は、貨幣処理装置６０の内部で紙幣を搬送する。本実施形態では、搬送機構７４０は、入出金部７２０と、感知部７８０と、主収納部８３１と、副収納部８３２と、主収納部８４０と、回収部８８０と、運用カートリッジ８９０との間を接続し、各部の間における紙幣の移動を実現する。
【００９１】
貨幣処理装置６０の感知部７８０は、紙幣の特徴を感知する。感知部７８０によって感知された紙幣の特徴は、金種の判断と、新旧レベルの判断と、真偽の判断との各判断に利用される。本実施形態では、感知部７８０によって感知される紙幣は、入出金部７２０から入金される紙幣、運用カートリッジ８９０から主収納部８３１、副収納部８３２および主収納部８４０へと収納される紙幣である。
【００９２】
貨幣処理装置６０の主収納部８３１、副収納部８３２および主収納部８４０は、出金に用いられる紙幣を収納する収納部である。主収納部８３１および副収納部８３２は、第１金種の紙幣を収納し、主収納部８４０は、第１金種とは異なる第２金種の紙幣を収納する。本実施形態では、主収納部８３１および副収納部８３２は、第１金種の紙幣として一万円紙幣を収納し、主収納部８４０は、第２金種の紙幣として千円紙幣を収納する。
【００９３】
本実施形態では、第１金種の紙幣である一万円紙幣に関し、新旧レベルが基準値よりも新しい紙幣は、副収納部８３２よりも優先的に主収納部８３１に収納される。本実施形態では、第１金種の紙幣である一万円紙幣に関し、主収納部８３１に収納される紙幣は、副収納部８３２に収納される紙幣よりも優先的に出金に用いられる。
【００９４】
貨幣処理装置６０の一時保留部８５０は、入金される紙幣を一時的に保留する収納部である。本実施形態では、一時保留部８５０に保留されている紙幣は、順次、金種および新旧レベルに応じた収納部（主収納部８３１、副収納部８３２および主収納部８４０）に収納される。
【００９５】
貨幣処理装置６０の回収部８８０は、出金に適さないと判断された紙幣を回収する収納部である。本実施形態では、回収部８８０は、新旧レベルが基準値よりも古いと判断された紙幣と、出金時に搬送機構７４０で不具合を発生させた紙幣と、貨幣処理装置６０で収納できない紙幣（本実施形態では二千円紙幣および五千円紙幣）とを回収する。
【００９６】
貨幣処理装置６０の運用カートリッジ８９０は、紙幣を収納する収納部であり、貨幣処理装置６０に対して着脱可能に構成されている。運用カートリッジ８９０は、貨幣処理装置６０に対する紙幣の補充と、貨幣処理装置６０からの紙幣の回収とに利用される。
【００９７】
図１１は、貨幣処理装置６０における制御部６００および感知部７８０の詳細構成を示す説明図である。本実施形態では、制御部６００は、新旧判断部６２０および選定部６４０の他、金種判断部６１０と、真偽判断部６３０と、情報生成部６５０と、記憶部６７０と、表示制御部６８０とを備える。本実施形態では、感知部７８０は、画像センサ７８２と、光センサ７８４と、磁気センサ７８６とを備える。
【００９８】
感知部７８０の画像センサ７８２は、感知部７８０を通過する紙幣を撮像する。本実施形態では、画像センサ７８２は、ＣＣＤイメージセンサである。他の実施形態では、画像センサ７８２は、ＣＭＯＳイメージセンサであってもよい。
【００９９】
感知部７８０の光センサ７８４は、感知部７８０を通過する紙幣の形状を感知する。感知部７８０の磁気センサ７８６は、感知部７８０を通過する紙幣の磁気特性を感知する。他の実施形態では、感知部７８０は、光センサ７８４と磁気センサ７８６との少なくとも１つを備えなくてもよく、他のセンサを備えてもよい。
【０１００】
制御部６００の金種判断部６１０は、感知部７８０からの情報に基づいて、感知部７８０を通過する紙幣の金種を判断する。本実施形態では、金種判断部６１０は、画像センサ７８２、光センサ７８４および磁気センサ７８６からの各出力データに基づいて、感知部７８０を通過する紙幣の金種を判断する。本実施形態では、金種判断部１１０は、千円紙幣と、二千円紙幣と、五千円紙幣と、一万円紙幣とを判断可能である。
【０１０１】
制御部６００の新旧判断部６２０は、画像センサ７８２から出力される画像データを解析することによって、感知部７８０を通過する紙幣の新旧レベルを判断する。本実施形態では、新旧判断部６２０は、紙幣に記された記番号を画像データから読み取り、その記番号に対応する発行年を新旧レベルとして判断する。他の実施形態では、新旧判断部６２０は、紙幣の損傷を画像データから読み取り、その損傷の度合いを新旧レベルとして判断してもよい。
【０１０２】
制御部６００の真偽判断部６３０は、感知部７８０からの情報に基づいて、感知部７８０を通過する紙幣が本物であるか偽物であるかを判断する。本実施形態では、真偽判断部６３０は、画像センサ７８２、光センサ７８４および磁気センサ７８６からの各出力データに基づいて、感知部７８０を通過する紙幣の真偽を判断する。
【０１０３】
制御部６００の情報生成部６５０は、選定部６４０による収納先の選定に応じて枚数情報９１０を生成する。枚数情報９１０は、主収納部８３１および副収納部８３２に収納されている紙幣についての新旧レベルに応じた枚数を収納部毎に示す情報である。制御部６００の記憶部６７０は、情報生成部６５０によって生成される枚数情報９１０を記憶する。制御部６００の表示制御部６８０は、記憶部６７０に記憶されている枚数情報９１０を表示部６９０に表示させる。
【０１０４】
Ｂ−２．貨幣処理装置の動作
図１２は、貨幣処理装置６０の制御部６００が実行する入金取引処理を示すフローチャートである。図１２の入金取引処理は、利用者から入金取引を受け付ける処理である。本実施形態では、制御部６００は、入金取引を開始する旨の利用者からの指示入力に基づいて、図１２の入金取引処理を実行する。本実施形態では、主収納部８３１および副収納部８３２が満杯である場合、ならびに、主収納部８４０が満杯である場合、制御部６００は、図１２の入金取引処理を実行しない。本実施形態では、回収部８８０が満杯である場合にも、制御部６００は、図１２の入金取引処理を実行しない。
【０１０５】
図１２の入金取引処理を開始した後、制御部６００は、各部の初期化を行う（ステップＳ６１０）。本実施形態では、初期化（ステップＳ６１０）において、制御部６００は、入出金部７２０、搬送機構７４０および感知部７８０の各部に、入金を受け付ける準備を指示する。
【０１０６】
初期化（ステップＳ６１０）を行った後、制御部６００は、入出金部７２０、搬送機構７４０および感知部７８０の各部を制御することによって、入出金部７２０に投入された紙幣を１枚ずつ感知部７８０に搬送する（ステップＳ６２２）。感知部７８０は、入出金部７２０から搬送される紙幣の特徴を感知し、その紙幣の特徴を示す情報を制御部６００に出力する。
【０１０７】
入出金部７２０から感知部７８０に紙幣を搬送した後（ステップＳ６２２）、制御部６００は、金種判断部６１０を機能させることによって、感知部７８０を通過する紙幣の金種を判断する（ステップＳ６２４）。
【０１０８】
紙幣の金種を判断した後（ステップＳ６２４）、制御部６００は、新旧判断部６２０を機能させることによって新旧判断処理（ステップＳ６２６）を行う。新旧判断処理（ステップＳ６２６）では、制御部６００は、画像センサ７８２から出力される画像データを解析することによって、感知部７８０を通過する紙幣の新旧レベルを判断する。本実施形態では、制御部６００は、紙幣に記された記番号を画像データから読み取り、その記番号に対応する発行年を新旧レベルとして判断する。
【０１０９】
図１３は、画像センサ７８２から出力される画像データ５９０の一例を示す説明図である。本実施形態では、制御部６００は、紙幣に記番号が印刷されている領域５９２を金種毎に示す情報を予め記憶しており、その情報に基づいて画像データ５９０から記番号を読み取る。図１３の例では、画像データ５９０は、一万円紙幣を撮像した画像データである。図１３の例では、制御部６００は、画像データ５９０における領域５９２から記番号である「ＡＢ１２３４５６Ｃ」を読み取り、その記番号に対応する発行年を新旧レベルとして判断する。
【０１１０】
図１２の説明に戻り、新旧判断処理（ステップＳ６２６）を行った後、制御部６００は、真偽判断部６３０を機能させることによって、感知部７８０を通過する紙幣の真偽を判断する（ステップＳ６２８）。
【０１１１】
紙幣の真偽を判断した後（ステップＳ６２８）、制御部６００は、感知部７８０を通過する紙幣を受け入れ可能であるか否かを判断する（ステップＳ６３２）。本実施形態では、制御部６００は、本物であると判断された紙幣を、受け入れ可能な紙幣として判断し、偽物であると判断された紙幣を、受け入れできない紙幣として判断する。本実施形態では、制御部６００は、本物であると判断された紙幣のうち、搬送機構７４０における搬送状体が不良である紙幣と、感知部７８０において感知された形状が不良である紙幣とを、受け入れできない紙幣として判断する。
【０１１２】
受け入れできない紙幣である場合（ステップＳ６３２：「ＮＯ」）、制御部６００は、入出金部７２０および搬送機構７４０を制御することによって、受け入れできない紙幣を、入出金部７２０を通じて返却する。
【０１１３】
受け入れ可能な紙幣である場合（ステップＳ６３２：「ＹＥＳ」）、制御部６００は、選定部６４０を機能させることによって、選定処理（ステップＳ６４０）を行う。選定処理（ステップＳ６４０）では、制御部６００は、受け入れ可能な紙幣を収納すべき収納先を、主収納部８３１と副収納部８３２と主収納部８４０と回収部８８０との中から選定し、出金に利用可能な一万円紙幣に関しては、主収納部８３１と副収納部８３２との一方を収納先として新旧レベルに基づいて選定する。選定処理（ステップＳ６４０）の詳細については後述する。
【０１１４】
選定処理（ステップＳ６４０）を行った後、制御部６００は、搬送機構７４０を制御することによって、一時保留部８５０へ紙幣を搬送する（ステップＳ６７２）。
【０１１５】
紙幣を一時保留部８５０へ搬送した後（ステップＳ６７２）、制御部６００は、情報生成部６５０を機能させることによって、情報生成処理（ステップＳ６７４）を行う。情報生成処理（ステップＳ６７４）では、制御部６００は、選定処理（ステップＳ６４０）の結果を反映させた枚数情報９１０を生成し、その枚数情報９１０を記憶部６７０に上書きすることによって、枚数情報９１０を更新する。
【０１１６】
枚数情報９１０を更新した後（ステップＳ６７４）、または、受け入れできない紙幣を返却した後（ステップＳ６３８）、制御部６００は、入出金部７２０からの紙幣の繰り出しが完了したか否かを判断する（ステップＳ６７６）。入出金部７２０に紙幣が残っており、入出金部７２０からの紙幣の繰り出しが完了していない場合（ステップＳ６７６：「ＮＯ」）、制御部６００は、入出金部７２０から感知部７８０へ紙幣を搬送する処理（ステップＳ６２２）からの各処理を繰り返し実行する。
【０１１７】
入出金部７２０からの紙幣の繰り出しが完了した場合（ステップＳ６７６：「ＹＥＳ」）、制御部６００は、入金取引の確定を待って収納処理（ステップＳ６８０）を行う。収納処理（ステップＳ６８０）では、制御部６００は、一時保留部８５０に保留されている紙幣を各収納先に収納する。収納処理（ステップＳ６８０）を行った後、制御部６００は、図１２の入金取引処理を終了する。
【０１１８】
図１４は、選定処理（ステップＳ６４０）の詳細を示すフローチャートである。選定処理（ステップＳ６４０）では、制御部６００は、受け入れ可能な紙幣のうち、貨幣処理装置６０で出金用に収納可能な紙幣（本実施形態では一万円紙幣および千円紙幣）であるか否かを判断する（ステップＳ６４１）。
【０１１９】
出金用に収納可能な紙幣でない場合（ステップＳ６４１：「ＮＯ」）、制御部６００は、感知部７８０を通過する紙幣の収納先として回収部８８０を選定する（ステップＳ６６６）。その後、制御部６００は、選定処理（ステップＳ６４０）を終了する。
【０１２０】
出金用に収納可能な紙幣である場合（ステップＳ６４１：「ＹＥＳ」）、制御部６００は、新旧判断処理（ステップＳ６２６）で判断した発行年（新旧レベル）が閾値Ｔａ３よりも大きい発行年であるか否か、すなわち、発行年（新旧レベル）が閾値Ｔａ３よりも新しいか否かを判断する（ステップＳ６４２）。本実施形態では、閾値Ｔａ３は、制御部６００に予め設定されており、制御部６００は、年数の経過に応じて閾値Ｔａ３を更新する。他の実施形態では、制御部６００は、管理者から貨幣処理装置６０に入力される情報に基づいて閾値Ｔａ３を設定してもよい。
【０１２１】
新旧判断処理（ステップＳ６２６）で判断した発行年が閾値Ｔａ３以下の発行年である場合、すなわち、発行年が閾値Ｔａ３と同じまたは閾値Ｔａ３よりも古い場合（ステップＳ６４２：「ＮＯ」）、制御部６００は、感知部７８０を通過する紙幣の収納先として回収部８８０を選定する（ステップＳ６６６）。その後、制御部６００は、選定処理（ステップＳ６４０）を終了する。
【０１２２】
新旧判断処理（ステップＳ６２６）で判断した発行年が閾値Ｔａ３よりも大きい発行年である場合、すなわち、発行年が閾値Ｔａ３よりも新しい場合（ステップＳ６４２：「ＹＥＳ」）、制御部６００は、感知部７８０を通過する紙幣の金種に対応する収納部が複数であるか否かを判断する（ステップＳ６４３）。
【０１２３】
紙幣の金種に対応する収納部が複数でない場合（ステップＳ６４３：「ＮＯ」）、本実施形態では、紙幣の金種が千円紙幣である場合、制御部６００は、感知部７８０を通過する紙幣の収納先として、その金種の主収納部（本実施形態では主収納部８４０）を選定する（ステップＳ６６２）。その後、制御部６００は、選定処理（ステップＳ６４０）を終了する。
【０１２４】
紙幣の金種に対応する収納部が複数である場合（ステップＳ６４３：「ＹＥＳ」）、本実施形態では、紙幣の金種が一万円紙幣である場合、制御部６００は、その金種の主収納部（本実施形態は主収納部８３１）が満杯であるか否かを判断する（ステップＳ６４４）。
【０１２５】
主収納部が満杯である場合（ステップＳ６４４：「ＹＥＳ」）、本実施形態では、主収納部８３１が満杯である場合、制御部６００は、感知部７８０を通過する紙幣の収納先として、その金種の副収納部（本実施形態では副収納部８３２）を選定する（ステップＳ６６４）。その後、制御部６００は、選定処理（ステップＳ６４０）を終了する。
【０１２６】
主収納部が満杯でない場合（ステップＳ６４４：「ＮＯ」）、本実施形態では、主収納部８３１が満杯でない場合、制御部６００は、新旧判断処理（ステップＳ６２６）で判断した発行年（新旧レベル）が閾値Ｔａ４よりも大きい発行年であるか否か、すなわち、発行年（新旧レベル）が閾値Ｔａ４よりも新しいか否かを判断する（ステップＳ６５６）。本実施形態では、閾値Ｔａ４は、制御部６００に予め設定されており、制御部６００は、年数の経過に応じて閾値Ｔａ４を更新する。他の実施形態では、制御部６００は、管理者から貨幣処理装置６０に入力される情報に基づいて閾値Ｔａ４を設定してもよい。
【０１２７】
新旧判断処理（ステップＳ６２６）で判断した発行年が閾値Ｔａ４よりも大きい発行年である場合、すなわち、発行年が閾値Ｔａ４よりも新しい場合（ステップＳ６５６：「ＹＥＳ」）、制御部６００は、感知部７８０を通過する紙幣の収納先として、その金種の主収納部（本実施形態では主収納部８３１）を選定する（ステップＳ６６２）。その後、制御部６００は、選定処理（ステップＳ６４０）を終了する。
【０１２８】
新旧判断処理（ステップＳ６２６）で判断した発行年が閾値Ｔａ４以下の発行年である場合、すなわち、発行年が閾値Ｔａ４と同じまたは閾値Ｔａ４よりも古い場合（ステップＳ６５６：「ＮＯ」）、制御部６００は、感知部７８０を通過する紙幣の収納先として、その金種の副収納部（本実施形態では副収納部８３２）を選定する（ステップＳ６６４）。その後、制御部６００は、選定処理（ステップＳ６４０）を終了する。
【０１２９】
図１５は、枚数情報９１０に基づく枚数ヒストグラムの一例を示すグラフである。図１５の横軸は、紙幣の新旧レベル（発行年）を示し、図１５の縦軸は、紙幣の枚数を示す。枚数ヒストグラムＨｂ１は、枚数情報９１０に基づく主収納部８３１の枚数ヒストグラムである。枚数ヒストグラムＨｂ２は、枚数情報９１０に基づく副収納部８３２の枚数ヒストグラムである。図１５に示すように、比較的に新しい紙幣は、主収納部８３１に収納され、比較的に古い紙幣は、副収納部８３２に収納される。
【０１３０】
本実施形態では、制御部６００は、表示制御部６８０を機能させることによって、管理者からの指示入力に基づいて、図１５の枚数ヒストグラムを枚数情報４１０として表示部１９０に表示させる。
【０１３１】
Ｂ−３．効果
以上説明した第２実施形態によれば、比較的に新しい紙幣を主収納部８３１に収納し、比較的に古い紙幣を副収納部８３２に収納することができる。したがって、比較的に新しい紙幣から優先的に出金に用いることができる。その結果、比較的に古い紙幣の経年劣化に起因する不具合を抑制することができる。また、比較的にきれいな紙幣を受け取りたいとの利用者の要望に応えることができる。
【０１３２】
Ｂ−４．変形例
第２実施形態の制御部６００は、紙幣の収納先を選定する基準である閾値Ｔａ４を、第１実施形態と同様に、枚数情報９１０に基づいて設定してもよい。これによって、主収納部８３１および副収納部８３２に収納されている紙幣の新旧レベルに応じた分布を、枚数情報９１０に基づいて調整できる。
【０１３３】
Ｃ．他の実施形態：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。例えば、第１実施形態の各変形例を第２実施形態に適用してもよい。
【符号の説明】
【０１３４】
１０，１１，６０…貨幣処理装置
１００…制御部
１１０…金種判断部
１２０…新旧判断部
１３０…真偽判断部
１４０…選定部
１４２…基準設定部
１４４…基準入力部
１５０…情報生成部
１７０…記憶部
１８０…表示制御部
１９０…表示部
２２０…入出金部
２４０…搬送機構
２８０…感知部
２８２…画像センサ
２８４…光センサ
２８６…磁気センサ
３１０，３００＿１〜３００＿ｎ…金種別保留部
３３０，３３０＿１〜３３０＿ｎ…金種別収納部
３５０…一括保留部
３７０…一括収納部
３８０…回収部
３９０…運用カートリッジ
４１０…枚数情報
５６０…画像データ
５６２…領域
５９０…画像データ
５９２…領域
６００…制御部
６１０…金種判断部
６２０…新旧判断部
６３０…真偽判断部
６４０…選定部
６５０…情報生成部
６７０…記憶部
６８０…表示制御部
６９０…表示部
７２０…入出金部
７４０…搬送機構
７８０…感知部
７８２…画像センサ
７８４…光センサ
７８６…磁気センサ
８３１…主収納部
８３２…副収納部
８４０…主収納部
８５０…一時保留部
８８０…回収部
８９０…運用カートリッジ
９１０…枚数情報
【図１】
2014191557.tif 000003
【図２】
2014191557.tif 000004
【図３】
2014191557.tif 000005
【図４】
2014191557.tif 000006
【図５】
2014191557.tif 000007
【図６】
2014191557.tif 000008
【図７】
2014191557.tif 000009
【図８】
2014191557.tif 000010
【図９】
2014191557.tif 000011
【図１０】
2014191557.tif 000012
【図１１】
2014191557.tif 000013
【図１２】
2014191557.tif 000014
【図１３】
2014191557.tif 000015
【図１４】
2014191557.tif 000016
【図１５】
2014191557.tif 000017